(57)【要約】【課題】設定情報を導入した際に、調整情報との不一致を起こさずに、本構成を有しない場合に比べて調整情報の抑制を図る。【解決手段】導入する設定情報に調整情報が関連づけられている場合、その調整情報も導入する。その際に、導入する調整情報と同名の調整情報が記憶部１に記憶されている場合、内容を比較し、両者が同内容であれば、新たな調整情報を記憶部１に記憶させずに、記憶部１に記憶されている調整情報を残して設定情報と関連づける。記憶部１に記憶されている同名の調整情報と内容が異なる場合には、導入する調整情報の名称を変更して記憶部１に記憶させるとともに、名称を変更した調整情報を導入する設定情報に関連づける。【選択図】図１
2015074166.tif 000002
【特許請求の範囲】
【請求項１】
設定情報と１以上の調整情報を関連づけて記憶する記憶手段と、設定情報を導入する際に該設定情報に関連づけた調整情報と同名の調整情報が前記記憶手段に存在する場合に同内容なら設定情報に前記同名の調整情報を関連づけて前記記憶手段に記憶させ内容が異なれば設定情報に関連づけた調整情報を別名として該別名の調整情報を関連づけた設定情報とともに前記記憶手段に記憶させる制御手段を有することを特徴とする設定記憶装置。
【請求項２】
前記制御手段は、導入する調整情報を前記記憶手段に記憶させる際に、予め取得されている調整値に従って該調整情報を修正することを特徴とする請求項１に記載の設定記憶装置。
【請求項３】
画像形成手段と、請求項１または請求項２に記載の設定記憶装置と、前記設定記憶装置に記憶されている設定情報および調整情報に従って前記画像形成手段を動作させる形成制御手段を有することを特徴とする画像形成装置。
【請求項４】
コンピュータに、請求項１または請求項２に記載の制御手段の機能を実行させるものであることを特徴とする設定記憶制御プログラム。
【発明の詳細な説明】
【技術分野】
【０００１】
本発明は、設定記憶装置および画像形成装置、設定記憶制御プログラムに関するものである。
【背景技術】
【０００２】
種々の装置においては予め行われた設定に従って動作するものがあり、旧来は各装置で設定を行っていた。設定した情報を他の装置にも転送して利用する形態も開発され、近年では外部のコンピュータなどで設定して各装置へ導入することも行われるようになってきた。例えば画像を用紙等に形成する機能を有する画像形成装置では、予め使用する用紙の情報が設定された情報を導入する機能を有するものがある。また特許文献１では、電話帳情報などの設定情報を他の機器で作成しておき、その設定情報を導入（インポート）することが記載されている。このような技術では、例えば１台の装置あるいはコンピュータで設定を行い、その設定情報を複数台の装置に導入することで、各装置における重複した設定が省略される。
【０００３】
設定情報は、各装置の調整情報と関連づけられている場合がある。特許文献１では、電話帳情報などの設定情報から他の設定情報を参照している場合がある。この場合、設定情報のエクスポートの際に参照情報については実体情報に変換しておいて、その設定情報を導入している。
【０００４】
また、例えば上述の画像形成装置における用紙の設定を行う設定情報では、アライメント調整や折り調整などの調整情報と関連づけられている場合がある。このように設定情報が調整情報と関連づけられている場合、ある装置へ設定情報を導入する際には関連づけられている調整情報も導入することになる。
【０００５】
例えば、ある装置に存在していない設定情報を当該装置へ導入しようとした場合に、関連づけられている調整情報と同名の調整情報が当該装置に存在していることがある。同名の調整情報が存在していた場合、従来は上書きしている。その場合、存在していた調整情報に関連づけられていた設定情報があると、その設定情報に関連付けられる調整情報の内容が、操作者の意図に反して変更されてしまうことになる。
【０００６】
上書きされないように、存在する調整情報と区別して新たな調整情報として導入することも考えられる。この場合、設定情報と調整情報の関連づけを保つように、新たに導入した調整情報を設定情報と関連づけて導入することになる。すると、内容が重複する調整情報がいくつも存在してしまう場合が生じ、調整情報の数が上書きする場合に比べて増大している。
【先行技術文献】
【特許文献】
【０００７】
【特許文献１】特開２０１１−１１６０８８号公報
【発明の概要】
【発明が解決しようとする課題】
【０００８】
本発明は、設定情報を導入した際に、調整情報との不一致を起こさずに、本構成を有しない場合に比べて調整情報の抑制を図った設定記憶装置および画像形成装置、設定記憶制御プログラムを提供することを目的とするものである。
【課題を解決するための手段】
【０００９】
本願請求項１に記載の発明は、設定情報と１以上の調整情報を関連づけて記憶する記憶手段と、設定情報を導入する際に該設定情報に関連づけた調整情報と同名の調整情報が前記記憶手段に存在する場合に同内容なら設定情報に前記同名の調整情報を関連づけて前記記憶手段に記憶させ内容が異なれば設定情報に関連づけた調整情報を別名として該別名の調整情報を関連づけた設定情報とともに前記記憶手段に記憶させる制御手段を有することを特徴とする設定記憶装置である。
【００１０】
本願請求項２に記載の発明は、本願請求項１に記載の発明における前記制御手段が、導入する調整情報を前記記憶手段に記憶させる際に、予め取得されている調整値に従って該調整情報を修正することを特徴とする設定記憶装置である。
【００１１】
本願請求項３に記載の発明は、画像形成手段と、請求項１または請求項２に記載の設定記憶装置と、前記設定記憶装置に記憶されている設定情報および調整情報に従って前記画像形成手段を動作させる形成制御手段を有することを特徴とする画像形成装置である。
【００１２】
本願請求項４に記載の発明は、コンピュータに、請求項１または請求項２に記載の制御手段の機能を実行させるものであることを特徴とする設定記憶制御プログラムである。
【発明の効果】
【００１３】
本願請求項１に記載の発明によれば、設定情報を導入した際に、調整情報との不一致を起こさずに、本構成を有しない場合に比べて調整情報の抑制を図ることができるという効果がある。
【００１４】
本願請求項２に記載の発明によれば、当該装置の状態に合った調整情報を導入することができる。
【００１５】
本願請求項３に記載の発明によれば、設定情報を導入した際に、調整情報との不一致を起こさずに、本構成を有しない場合に比べて調整情報の抑制を図ることができる。
【００１６】
本願請求項４に記載の発明によれば、本願請求項１または請求項２に記載の発明の効果を得ることができる。
【図面の簡単な説明】
【００１７】
【図１】本発明の設定記憶装置の実施の一形態を示す構成図である。
【図２】本発明の設定記憶装置の実施の一形態における動作の一例を示す流れ図である。
【図３】本発明の設定記憶装置の実施の一形態における設定情報の導入の一具体例の概念図である。
【図４】本発明の画像形成装置の実施の一形態を示す構成図である。
【図５】本発明の画像形成装置の実施の一形態における設定情報及び調整情報の一例の説明図である。
【図６】本発明の設定記憶装置の実施の一形態における調整情報の修正の一具体例の説明図である。
【図７】本発明の設定記憶装置の実施の一形態で説明した記憶制御部の機能をコンピュータプログラムで実現した場合におけるコンピュータプログラム及びそのコンピュータプログラムを格納した記憶媒体とコンピュータの一例の説明図である。
【発明を実施するための形態】
【００１８】
図１は、本発明の設定記憶装置の実施の一形態を示す構成図である。図中、１は記憶部、２は記憶制御部である。記憶部１は、設定情報及び調整情報などを記憶する。設定情報は、１以上の調整情報と関連づけておいてよい。
【００１９】
記憶制御部２は、記憶部１への情報の書き込み及び情報の読み出しを制御する。外部あるいは他の装置で作成された設定情報を導入する際には、設定情報に関連づけられている調整情報についても導入する。その際に、導入する調整情報と同名の調整情報が記憶部１に存在する場合には、記憶部１に存在する同名の調整情報が同内容なら、その同名で同内容の調整情報を、導入する設定情報に関連づけて記憶部１に記憶させる。また、同名の調整情報の内容が異なる場合には、設定情報に関連づけられている調整情報を別名とし、その別名の調整情報を設定情報に関連づけて、設定情報と別名とした調整情報を記憶部１に記憶させる。なお、導入する調整情報を記憶部１に記憶させる際に、予め取得されている装置に固有の調整値に従って、調整情報の内容を修正するとよい。また、複数の設定情報を一括して導入する機能を有していてもよい。さらに、記憶部１に記憶されている設定情報と調整情報を読み出し、外部または他の装置へ転送する機能を有していてもよい。
【００２０】
記憶部１と記憶制御部２は、ある装置に共存していてもよいし、別の装置に配置され、例えば通信路などを介して接続されている構成であってもよい。
【００２１】
図２は、本発明の設定記憶装置の実施の一形態における動作の一例を示す流れ図である。ここでは、１つの設定情報について導入する場合の動作の一例を示している。
【００２２】
Ｓ５１において、導入する設定情報を取得する。Ｓ５２において、取得した設定情報に、調整情報との関連づけが行われているか否かを判断する。関連づけられている調整情報が存在しなければ、Ｓ６４において、設定情報を記憶部１に記憶させ、当該設定情報に関する導入処理を終了する。
【００２３】
Ｓ５２で調整情報との関連づけが存在すると判断された場合には、Ｓ５３において、関連づけられている調整情報を特定して取得する。この動作例では、取得した調整情報について、導入する装置に応じた修正を行う。Ｓ５４において、調整情報を導入する装置において予め取得されている、装置に固有の調整値を取得し、Ｓ５５において、調整情報の内容を調整値に従って再計算して修正する。このような修正を行っておけば、改めて当該装置に応じた調整を行わなくてもよい。また、後述する内容の比較の際に、当該装置に応じて設定されている調整情報の比較が行われることになる。もちろん、装置に依存した情報が調整情報に存在しなければ、Ｓ５４及びＳ５５の処理は不要である。
【００２４】
Ｓ５６において、導入する調整情報と同名の調整情報が記憶部１に記憶されているか否かを判定する。同名の調整情報が記憶部１に記憶されていなければ、Ｓ５７において、導入する調整情報を記憶部１に記憶させる。
【００２５】
Ｓ５６で導入する調整情報と同名の調整情報が記憶部１に記憶されていると判定された場合には、Ｓ５９において、導入する調整情報の内容と、その調整情報と同名の調整情報の内容を比較する。Ｓ６０において、両者が同内容であるか否かを判定する。同内容であれば、Ｓ６１において、新たな調整情報を記憶部１に記憶させずに、その調整情報と同名の調整情報をそのまま残す。この場合、設定情報で調整情報と関連づけている名称を変更しないことにより、すでに記憶部１に記憶されている同名の調整情報と関連づけられることになる。関連づけを名称で行っていない場合には、設定情報の調整情報との関連づけの情報を、記憶部１に記憶されている同名で同内容の調整情報と関連づけるように変更すればよい。
【００２６】
Ｓ６０で導入する調整情報の内容と、その調整情報と同名の調整情報の内容が異なると判断された場合には、Ｓ６２において、導入する調整情報の名称を変更して、記憶部１に記憶させる。さらにＳ６３において、導入する設定情報で調整情報と関連づけている名称を、変更後の名称に変更する。関連づけを名称で行っていない場合には、設定情報の調整情報との関連づけの情報を、名称を変更して導入した調整情報と関連づけるように変更すればよい。
【００２７】
Ｓ５７、Ｓ６１、Ｓ６３の処理の後、Ｓ５８において、ほかに調整情報との関連づけが行われているか否かを判定する。ほかにも未処理の調整情報と関連づけられているか否かを判定し、未処理の調整情報との関連づけが残っている場合にはＳ５３へ戻って未処理の調整情報を取得して、その調整情報についての処理を行う。未処理の調整情報との関連づけが存在しなければ、Ｓ６４において、設定情報を記憶部１に記憶させ、当該設定情報に関する導入処理を終了する。
【００２８】
Ｓ６４で記憶させる設定情報は、Ｓ６３で調整情報との関連づけを書き換えている場合がある。すなわち、設定情報を導入する際に、その設定情報が調整情報と関連づけられており、その調整情報と同名であるが内容が異なる調整情報がすでに記憶部１に記憶されている場合に、元々関連づけられていた調整情報の名称を変更して記憶部１に記憶させ、その名称を変更した調整情報と設定情報を関連づけて記憶部１に記憶させる。従って、設定情報の導入に当たって、内容が異なる調整情報と関連づけられることはなく、設定の不一致を防いでいる。
【００２９】
また、設定情報を導入する際に、その設定情報が調整情報と関連づけられており、その調整情報と同名で同内容の調整情報がすでに記憶部１に記憶されている場合に、調整情報を導入せずに記憶部１にすでに記憶されている調整情報をそのまま用いる。従って、同内容の調整情報がいくつも記憶部１に記憶されることがなくなる。
【００３０】
なお、設定情報を複数導入する場合には、それぞれの設定情報について上述の処理を行えばよい。
【００３１】
図３は、本発明の設定記憶装置の実施の一形態における設定情報の導入の一具体例の概念図である。図３（Ａ）には導入前の各情報について示している。この具体例では、設定情報として「Ｋ０１」、「Ｋ０２」、「Ｋ０３」、「Ｋ０４」の４つが示されており、「Ｋ０１」は名称が「Ａ０１」の調整情報と、「Ｋ０２」は名称が「Ａ０２」の調整情報と、「Ｋ０４」は名称が「Ａ０４」の調整情報と、それぞれ関連づけられている。一方、記憶部１には調整情報として名称が「Ａ０１」、「Ａ０２」、「Ａ０３」の調整情報が記憶されている。この状態で、設定情報を導入する。
【００３２】
設定情報を導入した後の状態を図３（Ｂ）に示している。まず、設定情報「Ｋ０１」を導入する場合について説明する。設定情報「Ｋ０１」には、調整情報「Ａ０１」が関連づけられている。この調整情報「Ａ０１」と同名の調整情報が記憶部１に存在するか否かを判定すると、この例では同名の調整情報が存在している。この場合、さらに内容を比較する。ここでは、導入しようとしている調整情報「Ａ０１」と、記憶部１に記憶されている調整情報「Ａ０１」が同内容であるものとする。すると、記憶部１に記憶されている調整情報「Ａ０１」をそのまま用いるものとし、導入しようとしていた、もともと設定情報に関連づけられていた調整情報「Ａ０１」は導入しない。そして、設定情報「Ｋ０１」を記憶部１に記憶させることで、設定情報「Ｋ０１」は記憶部１にもともと記憶されていた調整情報「Ａ０１」と関連づけられる。この場合、調整情報の増加は生じない。また、同内容の調整情報が関連づけられており、設定の不一致などは生じない。
【００３３】
次に、設定情報「Ｋ０２」を導入する場合について説明する。設定情報「Ｋ０２」には、調整情報「Ａ０２」が関連づけられている。この調整情報「Ａ０２」と同名の調整情報が記憶部１に存在するか否かを判定すると、この例では同名の調整情報が存在している。この場合、さらに内容を比較する。ここでは、導入しようとしている調整情報「Ａ０２」と、記憶部１に記憶されている調整情報「Ａ０２」の内容が異なっているものとする。内容が異なる場合には、調整情報の名称を変更して記憶部１に記憶させ、設定情報における調整情報との関連づけを、名称を変更した調整情報と関連づけるように変更する。この例では、調整情報の名称を「Ａ０２−１」と変更して記憶部１に記憶させ、設定情報ではこの「Ａ０２−１」に名称を変更した調整情報と関連づけるように変更し、記憶部１に記憶させる。これにより、内容が異なる調整情報との関連づけで設定の不一致が生じることはない。
【００３４】
設定情報「Ｋ０３」については、調整情報と関連づけられておらず、そのまま記憶部１に記憶させればよい。また、設定情報「Ｋ０４」は調整情報「Ａ０４」と関連づけられているが、調整情報「Ａ０４」は記憶部１に同名の調整情報が存在しないため、設定情報「Ｋ０４」と調整情報「Ａ０４」をそのまま記憶部１に記憶させればよい。
【００３５】
このようにして、設定情報を導入する際に、関連づけられている調整情報についても導入される。従って、改めて設定情報や調整情報を作成しなくてもよい。調整情報を導入する際に、記憶部１にすでに同名で同内容の調整情報が存在していれば、その調整情報を使用することから、そのまま調整情報を導入する場合に比べて調整情報の増加が抑えられる。また、設定情報と調整情報の関連づけについても設定の不一致などは生じない。
【００３６】
ここでは調整情報に対する装置に依存した修正について触れていないが、もちろん、このような修正を行ってから記憶部１に記憶させるようにしてもよい。
【００３７】
図４は、本発明の画像形成装置の実施の一形態を示す構成図である。図中、１１は画像形成部、１２は設定記憶部、１３は形成制御部である。画像形成部１１は、形成制御部１３による制御に従い、用紙等の媒体上に画像を形成する。
【００３８】
設定記憶部１２は、上述の設定記憶装置の実施の一形態で説明した構成、少なくとも記憶部１を含んでおり、設定情報及び調整情報などを記憶する。上述したように、設定情報は１以上の調整情報と関連づけられている場合がある。
【００３９】
形成制御部１３は設定記憶部１２に記憶されている設定情報および調整情報に従って画像形成部１１を動作させる。なお、上述の設定記憶装置の実施の一形態で説明した記憶制御部２の機能を、この形成制御部１３に含めた構成としてもよい。
【００４０】
図５は、本発明の画像形成装置の実施の一形態における設定情報及び調整情報の一例の説明図である。図５（Ａ）には設定情報の一例を示している。この設定情報は使用する用紙に関する情報であり、この例では大きさ、用紙タイプ、コートの有無、１組の枚数、パンチ穴の有無、用紙の色、位置調整、折り調整の各設定項目を示している。もちろん、このほかにも種々の設定項目が存在していてもよいし、このうちのいくつかについて設定項目としていなくてもよい。
【００４１】
これらの設定項目のうち、この例では位置調整と折り調整について、調整情報を参照する場合がある。例えば名称が「Ｋ０１」の設定情報では、位置調整の設定項目は調整情報「Ａ０１」を参照していることを示している。また、名称が「Ｋ０２」の設定情報では、折り調整の設定項目は調整情報「Ａ０２」を参照していることを示している。
【００４２】
図５（Ｂ）には、調整情報の一例として画像を形成する位置を調整する情報を有する場合に、その調整情報に含まれる情報の一例の概略を示している。この例では、用紙の表面と裏面とで、それぞれ、画像を形成する位置をＸ方向及びＹ方向の２方向について、ずらす量を設定している。設定された値は、画像形成位置の調整情報として設定記憶部１２に記憶される。ずれ量のほかにも、例えばそれぞれの方向の倍率や直角度、斜行度など、種々の情報を有していてもよい。
【００４３】
このような画像形成位置の調整情報は、図５（Ａ）でも説明したように設定情報と関連づけられる。この例では、この調整情報が「Ａ０１」として設定記憶部１２に記憶され、設定情報「Ｋ０１」と関連づけられているものとする。
【００４４】
図５（Ｃ）には、調整情報の一例として折り調整の情報を有する場合に、その調整情報に含まれる情報の一例の概略を示している。この例では、用紙を折った場合に、その端のずれ量Ａを設定している。設定された値は、折り位置を調整する設定情報として設定記憶部１２に記憶される。また、この調整情報は図５（Ａ）でも説明したように、設定情報と関連づけられる。この例では、この調整情報が「Ａ０２」として設定記憶部１２に記憶され、設定情報「Ｋ０２」と関連づけられているものとする。
【００４５】
このような設定情報及び調整情報が、ある画像形成装置で作成されて別の画像形成装置へ導入され、あるいは別の装置で作成されて各画像形成装置へ導入される。その際に、設定記憶部１２では上述の本発明の設定記憶装置の実施の一形態で説明した動作により、例えば図２に示した動作の一例に従って動作し、設定情報及び調整情報が導入され、設定記憶部１２に記憶されることになる。
【００４６】
設定情報及び調整情報を導入する際の具体例も、図５に示した具体例について図３を用いて一例を説明すれば、設定情報「Ｋ０１」を導入する際には調整情報「Ａ０１」も導入されるが、その際に導入先にすでに調整情報「Ａ０１」が存在していれば、導入する調整情報とすでに存在する調整情報の内容を比較する。同内容であればすでに存在する調整情報を使用するものとして改めて調整情報「Ａ０１」を導入せず、すでに存在する調整情報「Ａ０１」を設定情報「Ｋ０１」に関連づけて設定情報「Ｋ０１」を設定記憶部１２に記憶させる。
【００４７】
また、例えば設定情報「Ｋ０２」を導入する際には調整情報「Ａ０２」も導入されるが、その際に導入先にすでに調整情報「Ａ０２」が存在していれば、導入する調整情報とすでに存在する調整情報の内容を比較する。内容が異なっていれば、導入する調整情報の名称を変更して例えば「Ａ０２−１」などとして設定記憶部１２に記憶させ、その名称を変更した調整情報「Ａ０２−１」を設定情報「Ｋ０２」に関連づけて、設定情報「Ｋ０２」を設定記憶部１２に記憶させる。
【００４８】
このようにして、設定情報を導入する際に、関連づけられている調整情報があれば、その調整情報についても導入される。その際に、記憶部１にすでに同名で同内容の調整情報が存在していれば、その調整情報を使用することから、調整情報の増加が抑えられる。また、設定情報と調整情報の関連づけについても設定の不一致などは生じない。なお、複数の設定情報を一括して導入する場合には、それぞれの設定情報について上述の処理を行えばよい。
【００４９】
図６は、本発明の設定記憶装置の実施の一形態における調整情報の修正の一具体例の説明図である。導入の際に調整情報に対して行う修正処理について具体例を用いて説明しておく。例えば、ある画像形成装置で作成した調整情報を、別の画像形成装置へ導入するものとする。
【００５０】
図６（Ａ）には、作成された折り位置の調整情報の具体例を示している。この例では、用紙を２つ折りした場合の折り位置を５．６ｍｍずらすことが設定されているものとしている。この調整情報が作成された画像形成装置では、その画像形成装置に固有の折り位置の調整値が存在する。折り位置の調整情報には、この固有の調整値が含まれている。固有の調整値を３．１ｍｍとすれば、３．１＋２．５＝５．６であることから、折り位置の調整情報を他の画像形成装置へ導入する際には、固有の調整値を除いた２．５ｍｍを折り調整の調整情報として他の画像形成装置へ引き渡せばよい。
【００５１】
図６（Ｂ）には、折り位置の調整情報を導入する際の修正の処理について示している。上述したように、折り位置の調整情報は引き渡される折り位置の調整情報と、導入する画像形成装置に固有の調整値とから修正後の値を求める。例えば投入する画像形成装置に固有の調整値が１．２ｍｍであれば、引き渡された折り調整の調整情報であり２．５ｍｍと加算し、１．２＋２．５＝３．７により修正後の折り位置の調整情報を３．７ｍｍに修正し、設定記憶部１２に記憶させればよい。
【００５２】
このように調整情報に対して装置固有の調整値によって修正を行い、いずれの画像形成装置に調整情報を導入しても、ずれが生じないようにしている。ここでは折り位置の調整情報について示したが、例えば図５（Ｂ）に示した画像形成位置の調整情報についても、導入の際に装置固有の調整値に従って修正するとよい。もちろん、他の調整情報についても、装置固有の調整値が存在する場合には、その装置固有の調整値に従って修正すればよい。
【００５３】
このように調整情報は導入した装置に応じて修正されており、それぞれの装置でバラツキが生じることはない。また、それぞれの装置で異なる調整情報を作成する手間を要しない。
【００５４】
上述の具体例では、使用する用紙に関する情報を設定情報として導入する場合を例にして説明した。しかしこれに限らず、種々の設定される情報を設定情報としてもよく、また、関連するどのような情報を調整情報として関連づけてもよい。
【００５５】
また、ここでは画像形成装置に本発明の設定記憶装置の実施の一形態を適用した例を示したが、もちろん、他の装置でも設定が行われる各種の装置に対して適用してよい。例えば画像読取装置であれば、各種の読取条件を設定情報とし、また関連する情報を調整情報として関連づけ、他の装置で作成した設定情報を導入する場合について、本発明の設定記憶装置の実施の一形態を適用してもよい。
【００５６】
図７は、本発明の設定記憶装置の実施の一形態で説明した記憶制御部の機能をコンピュータプログラムで実現した場合におけるコンピュータプログラム及びそのコンピュータプログラムを格納した記憶媒体とコンピュータの一例の説明図である。図中、２１はプログラム、２２はコンピュータ、３１は光磁気ディスク、３２は光ディスク、３３は磁気ディスク、３４はメモリ、４１はＣＰＵ、４２は内部メモリ、４３は読取部、４４はハードディスク、４５はインタフェース、４６は通信部である。
【００５７】
上述の本発明の設定記憶装置の実施の一形態で説明した記憶制御部２の機能の全部あるいは部分的に、コンピュータが実行するプログラム２１によって実現してもよい。その場合、そのプログラム２１およびそのプログラムが用いるデータなどは、コンピュータによって読み取られる記憶媒体に記憶させておけばよい。記憶媒体とは、コンピュータのハードウェア資源に備えられている読取部４３に対して、プログラムの記述内容に応じて、磁気、光、電気等のエネルギーの変化状態を引き起こして、それに対応する信号の形式で、読取部４３にプログラムの記述内容を伝達するものである。例えば、光磁気ディスク３１、光ディスク３２（ＣＤやＤＶＤなどを含む）、磁気ディスク３３、メモリ３４（ＩＣカード、メモリカード、フラッシュメモリなどを含む）等である。もちろんこれらの記憶媒体は、可搬型に限られるものではない。
【００５８】
これらの記憶媒体にプログラム２１を格納しておき、例えばコンピュータ２２の読取部４３あるいはインタフェース４５にこれらの記憶媒体を装着して、コンピュータからプログラム２１を読み出し、内部メモリ４２またはハードディスク４４（磁気ディスクやシリコンディスクなどを含む）に記憶し、ＣＰＵ４１によってプログラム２１を実行し、上述の本発明の設定記憶装置の実施の一形態で説明した記憶制御部２の機能が全部又は部分的に実現される。あるいは、通信路を介してプログラム２１をコンピュータ２２に転送し、コンピュータ２２では通信部４６でプログラム２１を受信して内部メモリ４２またはハードディスク４４に記憶し、ＣＰＵ４１によってプログラム２１を実行して実現してもよい。
【００５９】
なお、本発明の設定記憶装置の実施の一形態で説明した記憶部１は、例えばハードディスク４４や内部メモリ４２を用いて構成すればよい。
【００６０】
コンピュータ２２には、このほかインタフェース４５を介して様々な装置を接続してもよい。例えば、用紙に画像を形成する画像形成部１１が接続され、また、形成制御部１３の機能を実現するプログラムと一体として、本発明の画像形成装置の実施の一形態における機能をコンピュータ２２により実現してもよい。もちろん、その他の装置がインタフェース４５に接続されていてもよい。なお、各処理が１台のコンピュータにおいて動作する必要はなく、処理段階に応じて別のコンピュータにより処理が実行されてもよい。
【符号の説明】
【００６１】
１…記憶部、２…記憶制御部、１１…画像形成部、１２…設定記憶部、１３…形成制御部、２１…プログラム、２２…コンピュータ、３１…光磁気ディスク、３２…光ディスク、３３…磁気ディスク、３４…メモリ、４１…ＣＰＵ、４２…内部メモリ、４３…読取部、４４…ハードディスク、４５…インタフェース、４６…通信部。
【図１】
2015074166.tif 000003
【図２】
2015074166.tif 000004
【図３】
2015074166.tif 000005
【図４】
2015074166.tif 000006
【図５】
2015074166.tif 000007
【図６】
2015074166.tif 000008
【図７】
2015074166.tif 000009